【事件の表示】
　平成　９年特許願第　７６５３７号「二成分現像装置」拒絶査定不服審判事件〔平成１０年　９月２５日出願公開、特開平１０−２５４２２６〕について、次のとおり審決する。
【結　論】
　本件審判の請求は、成り立たない。
【理　由】
１．手続の経緯
　本願は、平成９年３月１２日の出願であって、平成１７年１０月２７日付けで拒絶査定がなされ、これに対し、同年１２月５日に審判請求がなされるとともに、同年１２月２８日付けで手続補正がなされたものである。
　
２．平成１７年１２月２８日付けの手続補正についての補正の却下の決定
　
［結論］
　平成１７年１２月２８日付けの手続補正（以下「本件補正」という）を却下する。
　
［理由］
　本件補正は特許請求の範囲の請求項１を、
「現像剤を担持する現像剤担持体と、現像剤収容器内で該現像剤を撹拌しながら該現像剤担持体の軸線方向沿って搬送し、両者の間に形成された循環路で該現像剤を循環させる第１及び第２現像剤撹拌搬送手段とを有し、該現像剤担持体を該第１及び第２現像剤撹拌搬送手段よりも上方に配設して、該現像剤担持体により該現像剤収容器内の第１現像剤撹拌搬送手段側の第１現像剤収容部から現像剤を汲み上げて現像領域に搬送し、さらに、該現像領域通過後の現像剤を該現像剤収容器の該第２撹拌搬送手段側の第２現像剤収容部へ分離させる現像剤の搬送路を構成した二成分現像装置において、
　上記第２現像剤撹拌搬送手段を、上記現像剤担持体の軸線方向に沿った現像剤搬送方向に延在するスクリュウを有する第２現像剤撹拌搬送部材で構成し、該スクリュウの上記軸線方向におけるピッチを該スクリュによって搬送される現像剤の増加度合いに応じて現像剤搬送方向上流側の領域に比して下流側の領域で大きくなるように設定したことを特徴とする二成分現像装置。
」と補正しようとする補正事項を含む。
　上記補正事項は、補正前の請求項１に係る発明を特定するために必要な事項である、「該スクリュウの上記軸線方向におけるピッチを、
現像剤搬送方向上流側から搬送されてきた現像剤及び該第２現像剤収容部へ落下する現像剤の増加度合いに応じて
該スクリュによって搬送される現像剤の増加度合いに応じて
　しかし、特許請求の範囲についてする上記補正は、請求項の削除であるとも、誤記の訂正であるとも、明りょうでない記載の釈明であるとも認められず、さらに特許請求の範囲の減縮とも認められない。よって、この補正は、平成１８年改正前特許法第１７条の２第４項に掲げるいずれの事項を目的とするものでもない。
　したがって、本件補正は、平成１８年改正前特許法第１７条の２第４項の規定に違反するので、特許法第１５９条第１項の規定において読み替えて準用する同法第５３条第１項の規定により却下すべきものである。
　
３．本願発明について
　平成１７年１２月２８日付けの手続補正は、上記のとおり却下されたので、本願の請求項１ないし４に係る発明は、平成１７年４月１９日付けの手続補正により補正された特許請求の範囲の請求項１ないし４に記載された事項により特定されるとおりのものであるところ、その請求項１に係る発明（以下「本願発明」という）は以下のとおりである。
　
「現像剤を担持する現像剤担持体と、現像剤収容器内で該現像剤を撹拌しながら該現像剤担持体の軸線方向沿って搬送し、両者の間に形成された循環路で該現像剤を循環させる第１及び第２現像剤撹拌搬送手段とを有し、該現像剤担持体を該第１及び第２現像剤撹拌搬送手段よりも上方に配設して、該現像剤担持体により該現像剤収容器内の第１現像剤撹拌搬送手段側の第１現像剤収容部から現像剤を汲み上げて現像領域に搬送し、さらに、該現像領域通過後の現像剤を該現像剤収容器の該第２撹拌搬送手段側の第２現像剤収容部へ分離させる現像剤の搬送路を構成した二成分現像装置において、
　上記第２現像剤撹拌搬送手段を、上記現像剤担持体の軸線方向に沿った現像剤搬送方向に延在するスクリュウを有する第２現像剤撹拌搬送部材で構成し、該スクリュウの上記軸線方向におけるピッチを、現像剤搬送方向上流側から搬送されてきた現像剤及び該第２現像剤収容部へ落下する現像剤の増加度合いに応じて現像剤搬送方向上流側の領域に比して下流側の領域で大きくなるように設定したことを特徴とする二成分現像装置。」
　　
（１）引用文献
　本願出願日前に頒布され、原査定の拒絶の理由に引用された刊行物である、特開平４−６０６６５号公報（以下「引用文献１」という）には、図面とともに以下の事項が記載されている。
　
（１−１）「【特許請求の範囲】
１．現像剤を感光体に供給してこの感光体に形成された潜像を現像する現像装置において、前記現像剤を撹拌しながら搬送する第一の撹拌・搬送部と第二の攪拌・搬送部とが、前記現像剤を前記第一の撹拌・搬送部から前記第二の攪拌・搬送部へ搬送するように並設され、前記現像剤を前記第二の攪拌・搬送部から前記感光体の略直下へ搬送する現像剤搬送手段が、前記第一の撹拌・搬送部と前記第二の撹拌・搬送部との中間領域の上方に配設されていることを特徴とする現像装置。」（第１頁左下欄）
　
（１−２）「イ、産業上の利用分野
本発明は、現像装置に関し、例えば、電子写真方式による像形成用の現像装置に関する。」（第１頁左下欄）
　
（１−３）「シャーシ５０内で仕切り板４９で仕切られた現像剤溜まり４３Ａ、４３日には夫々スクリュー４６．４７が互いに平行に設けられている。スクリュー４６．４７を結ぶ線分の略２等分線の上方（前記の中間領域の上方）から第５図にｄで示す間隔だけスクリュー４７に寄った位置を中心にして現像スリーブ４１が位置している。このような位置関係は、第５図に示すスクレーパ４５の取付けに余裕を持たせることと、スリーブ４１が現像剤溜まり４３Ａ内の現像剤を主として搬送するようにすることのためである。シャーシ側壁５０ａの外側には平歯車５３が取付けられ、図示しないモータの軸に取付けられた平歯車に噛合して平歯車５３が回転するようにしである。
平歯車５３には、スクリュー４６の軸４６ａに取付けられた平歯車４６ｂが噛合する。平歯車４６ｂには、現像スリーブ４１の軸４１ａに取付けられた平歯車４１ｂと、スクリュー４７の軸４７ａに取付けられた平歯車４７ｂとが噛合する。かくして、第３図において、平歯車５３の矢印方向の回転により、平歯車４６ｂ、４７ｂ、４１ｂが夫々矢印方向に回転する。
現像剤は、現像剤供給口５２から現像剤溜まり４３Ａに供給され、前記の各平歯車の噛合によって回転するスクリュー４６によって第１図の左から右へ搬送され、仕切り板４９の右側で現像剤溜まり４３Ｂに移り、ここでスクリュー４７の回転によって右から左へ搬送され、更に仕切り板４９の左側で現像剤溜まり４３Ａに戻る。現像剤は、現像剤溜まり４３Ａ、４３日を循環、搬送される過程で充分に攪拌され、粒子間の摩擦によって充分に帯電し、現像可能な状態になる。」（第３頁左下欄から同頁右下欄）
　
（１−４）「上記の装置において、現像器３１Ｙ、３１Ｍ、３１Ｃ，３１Ｋには、第５図に拡大図示したように、現像剤搬送担体である非磁性の現像スリーブ４１が左回転し、現像スリーブ４１内には磁石体４２が静止、位置していて、磁石体４２によって現像剤溜まり４３Ｅ３中の現像剤りを現像スリーブ４１の表面に吸着し、現像剤Ｄを現像域Ｅに搬送するものである。現像スリーブ４１上を搬送される現像剤は、途中において、透磁性材料からなり現像スリーブ４１に従動する層厚規制ローラ４４により厚さを規制され、現像剤層を形成する。層厚規制は、現像スリーブ４１に対する層厚規制ローラ４４の押圧力によってなされる。なお、磁石体４２は、現像スリーブ４１とは逆方向又は同方向に回転させても良い。
現像を行うときは、バイアス電源（図示省略）によって、直流バイアス電圧及び／又は交流電圧を現像スリーブ４１に印加する。これによって現像域Ｅにおいて現像が行われ、現像域Ｅを通過した現像剤層はスクレーパ４５によって現像スリーブ４１から掻落とされ、天蓋４８の開口４８ａを経て現像剤溜まり４３Ａに還元される。」（第３頁右下欄から第４頁左上欄）
　
（１−５）「トナーとキャリアとからなる二成分系現像剤を使用する場合、イエロー、マゼンタ、シアン及び黒のトナーＴは、感光体１の感光層１ｂの表面に次々に付着し、感光体１の次の周回時に感光層１ｂの表面に供給されて来る記録紙Ｐ（第６図参照）に移り、前述したように記録紙Ｐに転写、定着されて多色画像が形成される。」（第４頁右上欄）
　
（１−６）「現像器を前記のような構造にすることにより、現像剤の搬送経路が長くなってこの間の攪拌による帯電が充分になされ、良好な画像が得られる。」（第４頁右上欄）
　
（１−７）「以上の各例は、ディジタル露光による反転現像の例であり、現像剤には二成分系現像剤を使用しているが、トナーのみからなる一成分系現像剤を使用できることは言う迄もない。」
　
（１−８）第１図及び第２図には、スクリュー４６及び４７が、現像剤を現像スリーブ４１の軸線方向に沿って搬送することが記載されている。
　
（１−９）前記摘記事項（１−３）及び各図面には、スクリュー４６及び４７が両者の間に形成された循環路で現像剤を循環させること、及び現像スリーブ４１がスクリュー４６及び４７よりも上方に配設されていることが記載されている。
　
　前記摘記事項を総合して勘案すると、引用文献１には、以下の発明が記載されている。
　
「現像剤を担持する現像スリーブ４１と、現像剤溜まり４３Ａ及び４３Ｂで該現像剤を撹拌しながら該現像スリーブ４１の軸線方向に沿って搬送し、両者の間に形成された循環路で現像剤を循環させるスクリュー４６及び４７とを有し、該現像スリーブ４１を該スクリュー４６及び４７よりも上方に配設して、該現像スリーブ４１により現像剤溜まり４３Ｂから現像剤を汲み上げて現像域Ｅに搬送し、さらに、該現像域Ｅを通過後の現像剤溜まり４３Ａへ分離させる現像剤の搬送路を構成した二成分現像剤を用いる現像装置。」
　
（２）本願発明と引用文献１に記載された発明の対比
　引用文献１に記載された発明の、「現像スリーブ４１」、「現像剤溜まり４３Ａ及び４３Ｂ」、「現像剤溜まり４３Ｂ」、「現像域Ｅ」、「現像剤溜まり４３Ａ」は、それぞれ、本願発明の、「現像剤担持体」、「現像剤収容器内」、「第１現像剤収容部」、「現像領域」、「第２現像剤収容部」に相当する。
　そして、引用文献１に記載された発明の、「スクリュー４６」は、本願補正発明の、「第２現像剤撹拌搬送手段」及び「第２現像剤撹拌搬送部材」に相当し、「スクリュー４７」は、「第１現像剤撹拌搬送部材」及び「第１現像剤撹拌搬送部材」に相当する。
　したがって、本願発明と引用文献１に記載された発明は、
「現像剤を担持する現像剤担持体と、現像剤収容器内で該現像剤を撹拌しながら該現像剤担持体の軸線方向沿って搬送し、両者の間に形成された循環路で該現像剤を循環させる第１及び第２現像剤撹拌搬送手段とを有し、該現像剤担持体を該第１及び第２現像剤撹拌搬送手段よりも上方に配設して、該現像剤担持体により該現像剤収容器内の第１現像剤撹拌搬送手段側の第１現像剤収容部から現像剤を汲み上げて現像領域に搬送し、さらに、該現像領域通過後の現像剤を該現像剤収容器の該第２撹拌搬送手段側の第２現像剤収容部へ分離させる現像剤の搬送路を構成した二成分現像装置において、
　上記第２現像剤撹拌搬送手段を、上記現像剤担持体の軸線方向に沿った現像剤搬送方向に延在するスクリュウを有する第２現像剤撹拌搬送部材で構成した、二成分現像装置。」
である点で一致し、以下の点で相違する。
　
（２−１）相違点
　第２現像剤撹拌搬送部材が有するスクリュウについて、本願発明は、「該スクリュの上記軸線方向におけるピッチを現像剤搬送方向上流側から搬送されてきた現像剤及び該第２現像剤収容部へ落下する現像剤の増加度合いに応じて現像剤搬送方向上流側の領域に比して下流側の領域で大きくなるように設定した」のに対して、引用文献１に記載された発明は、スクリュウのピッチが不明な点。
　
（３）相違点ついての判断
　上流側からスクリュウによって搬送されてきた現像剤と、当該スクリュウへ直接落下する現像剤が合流することによって、搬送される現像剤が上流側に比して下流側において増加する事象に対処するため、スクリュウのピッチを、上流側の領域に比して下流側の領域で大きくなるように設定することは、本願出願前に当業者に周知であり、例えば、原査定の拒絶の理由に引用された特開昭６０−１６３０６７号公報、及び実願昭５８−３０１４５号（実開昭５９−１３６６４８号）のマイクロフィルムに記載されている（前者の第２頁左下欄には、現像装置の搬送手段としても利用できる旨が記載されている）。
　したがって、引用文献１に記載された発明において、同様の事象が生じることは当業者に自明であって、それに対処するために、上記周知な事項を採用することは、適宜なしうることである。
　そして、引用文献１に記載された発明において、上記周知な事項を採用する場合に、「現像剤搬送方向上流側から搬送されてきた現像剤及び該第２現像剤収容部へ落下する
現像剤の増加度合いに応じて
　さらに、相違点に係る本願発明の構成としたことによる効果は、当業者が予測できるものである。
　よって、本願発明は、引用文献１に記載された発明、及び、周知な事項に基づいて、当業者が容易に発明をすることができたものである。
　
（４）むすび
　以上のとおり、本願発明（本願の請求項１に係る発明）は、引用文献１に記載された発明、及び、周知な事項に基づいて当業者が容易に発明をすることができたものであるから、特許法第２９条第２項の規定により特許をうけることができず、本願の他の請求項に係る発明ついて論及するまでもなく、本願は拒絶すべきものである。
　
　よって、結論のとおり審決する。